(57)【要約】【課題】本発明は、内容表示ラベルと共にポイントラベルを発行することで、個別の商品に対応させたポイント片を簡単に発行することができる商品ラベルを提供することを課題とする。【解決手段】表面に内容明細表示部を有する第１ラベル２と、表面にポイント表示部を有する複数枚の第２ラベル３とを裏面に塗布された粘着剤によって台紙４に仮着させ、台紙４に形成されたスリット４１によって、台紙４を第１ラベル２が仮着されている第１台紙片４ａと、第２ラベル３が仮着されている第２台紙片４ｂとに分離可能に構成することにより、内容表示ラベルとして第１ラベル２を発行すると同時に、第２ラベル３をポイントラベルとして発行することができる。【選択図】        図１
2007206214.tif 000002
【特許請求の範囲】
【請求項１】
商品に貼付される商品ラベルであって、
表面に内容明細表示部を有する第１ラベルと、表面にポイント表示部を有する複数枚の第２ラベルとが、裏面に塗布された粘着剤によって台紙に仮着されおり、
前記台紙に形成されたスリットによって、前記台紙は、前記第１ラベルが仮着されている第１台紙片と、前記第２ラベルが仮着されている第２台紙片とに分離可能であることを特徴とする商品ラベル。
【請求項２】
前記スリットは、第１ラベルの端部側を横切る位置に形成されており、前記第１台紙片には、第１ラベルの大部分が仮着され、前記第２台紙片には、前記第１ラベルの一部と複数の前記第２ラベルとが仮着されていることを特徴とする請求項１記載の商品ラベル。
【請求項３】
前記第１ラベルと複数枚の前記第２ラベルとは、破断用切り込みによって繋がった状態で前記台紙に仮着されており、
前記スリットは、前記破断用切り込みと略対向する位置に形成されていることを特徴とする請求項１記載の商品ラベル。
【請求項４】
請求項１乃至３のいずれかに印字を施すラベル印字装置であって、
受信した印字データから価格情報を抽出する価格情報抽出手段と、
該価格情報抽出手段によって抽出された前記価格情報に基づいて付与されるポイント数を算出するポイント算出手段と、
前記印字データに基づいて前記第１ラベルの前記内容明細表示部に印字を施す印字イメージデータを生成すると共に、前記ポイント算出手段によって算出された前記ポイント数と同数の前記第２ラベルの前記ポイント表示部に印字を施すポイント表示の印字イメージデータを生成する印字制御手段と、
該印字制御手段によって生成された印字イメージデータに基づいて印字を施す印字手段とを具備することを特徴とするラベル印字装置。
【発明の詳細な説明】
【技術分野】
【０００１】
本発明は、商品に貼付される商品ラベルに関し、特に価格に応じてポイントが付与される商品に貼付される商品ラベルに関する。
【背景技術】
【０００２】
商品を販売する店舗においては、顧客サービスを目的として、ポイントサービスが行われている。ポイントサービスは、販売金額に応じポイントを顧客に付与し、集めたポイントに応じて、店舗が新たなサービスを給付する仕組みであり、ポイントシール等のポイント片を発行して、紙製のポイント台帳に添付するシール方式が採用されることが多い。
【０００３】
ポイント片の発行は、商品の会計を行うレジスターに連動した専用の発行装置から発行されるものや、商品の会計を行うレジスターから発行されるレシートの一部に直接印刷するものが提案されており、顧客が購入した商品の総額に対して行われるようになっている（例えば、特許文献１参照）。
【０００４】
しかしながら、従来技術では、商品の会計時にポイント片が発行されるように構成されているため、個別の商品に対応させたポイント片を発行することが困難であるという問題点があった。
【０００５】
【特許文献１】特開２００３−１７８２２４号公報
【発明の開示】
【発明が解決しようとする課題】
【０００６】
本発明は斯かる問題点に鑑みてなされたものであり、その目的とするところは、内容表示ラベルと共にポイントラベルを発行することで、個別の商品に対応させたポイント片を簡単に発行することができる商品ラベルを提供する点にある。
【課題を解決するための手段】
【０００７】
本発明は上記課題を解決すべく、以下に掲げる構成とした。
請求項１記載の発明の要旨は、商品に貼付される商品ラベルであって、表面に内容明細表示部を有する第１ラベルと、表面にポイント表示部を有する複数枚の第２ラベルとが、裏面に塗布された粘着剤によって台紙に仮着されおり、前記台紙に形成されたスリットによって、前記台紙は、前記第１ラベルが仮着されている第１台紙片と、前記第２ラベルが仮着されている第２台紙片とに分離可能であることを特徴とする商品ラベルに存する。
また請求項２記載の発明の要旨は、前記スリットは、第１ラベルの端部側を横切る位置に形成されており、前記第１台紙片には、第１ラベルの大部分が仮着され、前記第２台紙片には、前記第１ラベルの一部と複数の前記第２ラベルとが仮着されていることを特徴とする請求項１記載の商品ラベルに存する。
また請求項３記載の発明の要旨は、前記第１ラベルと複数枚の前記第２ラベルとは、破断用切り込みによって繋がった状態で前記台紙に仮着されており、前記スリットは、前記破断用切り込みと略対向する位置に形成されていることを特徴とする請求項１記載の商品ラベルに存する。
また請求項４記載の発明の要旨は、請求項１乃至３のいずれかに印字を施すラベル印字装置であって、受信した印字データから価格情報を抽出する価格情報抽出手段と、該価格情報抽出手段によって抽出された前記価格情報に基づいて付与されるポイント数を算出するポイント算出手段と、前記印字データに基づいて前記第１ラベルの前記内容明細表示部に印字を施す印字イメージデータを生成すると共に、前記ポイント算出手段によって算出された前記ポイント数と同数の前記第２ラベルの前記ポイント表示部に印字を施すポイント表示の印字イメージデータを生成する印字制御手段と、該印字制御手段によって生成された印字イメージデータに基づいて印字を施す印字手段とを具備することを特徴とするラベル印字装置に存する。
【発明の効果】
【０００８】
本発明の商品ラベルは、表面に内容明細表示部を有する第１ラベルと、表面にポイント表示部を有する複数枚の第２ラベルとを裏面に塗布された粘着剤によって台紙に仮着させ、台紙に形成されたスリットによって、台紙を第１ラベルが仮着されている第１台紙片と、第２ラベルが仮着されている第２台紙片とに分離可能に構成することにより、内容表示ラベルとして第１ラベルを発行すると同時に、第２ラベルをポイントラベルとして発行することができ、個別の商品に対応させたポイント片を簡単に発行することができるという効果を奏する。
【０００９】
また、本発明の商品ラベルは、第１台紙片を剥がして内容表示ラベルとして発行した第１ラベルを商品に貼付することで、ポイントラベルとして発行した第２ラベルを第２台紙片に仮着した状態で商品に貼付した第１ラベルに隣接させた保持することができるため、商品とポイントラベルとを一体で取り扱うことができ、ポイントラベルを顧客に提供する作業を省略することができるという効果を奏する。
【発明を実施するための最良の形態】
【００１０】
以下、本発明の実施の形態を図面に基づいて詳細に説明する。
【００１１】
（第１の実施の形態）
図１は、本発明に係る商品ラベルの第１の実施の形態の構成を示す図であり、（ａ）は、表面図、（ｂ）は、裏面図、（ｃ）は、側面図である。
【００１２】
第１の実施の形態の商品ラベル１は、図１を参照すると、表面に内容明細表示部を有する第１ラベル２と、表面にポイント表示部を有する複数枚の第２ラベル３とが、裏面に塗布された粘着剤によって台紙４に仮着されている。
【００１３】
第１ラベル２は、表面の内容明細表示部に商品名、価格、計量データ、バーコード、製造者等が印字されることで、商品の内容明細を示す内容表示ラベルとして機能する。
【００１４】
第２ラベル３は、表面のポイント表示部に所定のマークや文字からなるポイント表示が印字されることで、ポイントラベルとして機能し、図１に示すように、表面のポイント表示部に印字が施されていない状態では、ポイントラベルとして機能しないようになっている。なお、図１には、４枚の第２ラベル３が台紙４を仮着されている例を示しているが、第２ラベル３の枚数は、任意に設定することができる。
【００１５】
台紙４には、第１ラベル２の端部側を横切る位置にスリット４１が形成されており、第１ラベル２の大部分が仮着されている第１台紙片４ａと、第１ラベル２の一部と複数の第２ラベル３とが仮着されている第２台紙片４ｂとに分離可能に構成されている。
【００１６】
商品ラベル１に印字を施す場合には、台紙４に形成されたスリット４１の向き、すなわち図１（ａ）に示す商品ラベル１の上下いずれかの方向に商品ラベル１が搬送されるようにすると、搬送途中にスリット４１部分で剥離が生じることがない。
【００１７】
次に、商品ラベル１に印字を施すラベル印字装置１０について図２および図３を参照して詳細に説明する。
図２は、図１に示す商品ラベルに印字を施すラベル印字装置１０の構成を示すブロック図であり、図３は、図１に示す商品ラベルに印字が施された状態を示す表面図である。
【００１８】
ラベル印字装置１０は、図２を参照すると、コンピュータ２０によって作成された印字データに基づいて商品ラベル１に印字を施す印字装置であり、受信部１１と、価格情報抽出部１２と、ポイント算出部１３と、印字制御部１４と、印字部１５とを備えている。
【００１９】
受信部１１は、コンピュータ２０から印字データを受信し、受信した印字データを価格情報抽出部１２および印字制御部１４に出力する。価格情報抽出部１２は、入力された印字データから価格情報を抽出し、抽出した価格情報をポイント算出部１３に出力する。
【００２０】
ポイント算出部１３は、入力された価格情報に基づいて付与されるポイント数を算出し、算出したポイント数を印字制御部１４に出力する。なお、本実施の形態では、５００円毎にポイントが発生するよう設定されている。
【００２１】
印字制御部１４は、受信部１１から入力される印字データに基づいて、第１ラベル２の内容明細表示部に印字を施す印字イメージデータを生成すると共に、ポイント算出部１３から入力されるポイント数と同数の第２ラベル３のポイント表示部に印字を施すポイント表示の印字イメージデータを生成する。なお、第２ラベル３のポイント表示部に印字するポイント表示のイメージデータは、予め印字制御部１４に記憶されているものとする。
【００２２】
印字部１５は、印字制御部１４から入力される印字イメージデータに基づいて商品ラベル１に印字する印字手段であり、例えばサーマルヘッドとプラテンローラとを備え、サーマルヘッドとプラテンローラとの間にラベルを挟持搬送して印字を施す感熱方式の印字機構や、インクをノズルから吐出して印字を施すインクジェット式の印字機構を用いることができる。
【００２３】
図３（ａ）には、価格５００円の商品に貼付する商品ラベル１の例が示されており、価格５００円に対して付与されるポイント数：１がポイント算出部１３によって算出され、１枚の第２ラベル３のポイント表示部にポイント表示３１が印字されている。また、図３（ｂ）には、価格１５００円の商品に貼付する商品ラベル１の例が示されており、価格１５００円に対して付与されるポイント数：３がポイント算出部１３によって算出され、３枚の第２ラベル３のポイント表示部にポイント表示３１が印字されている。
【００２４】
次に、商品ラベル１の商品への貼付方法について図４を参照して詳細に説明する。
図４は、図１に示す商品ラベルの貼付方法を説明するための説明図である。
【００２５】
印字が施された商品ラベル１の商品への貼付は、図４（ａ）に示すように、台紙４の第１台紙片４ａのみを剥がし、第２台紙片４ｂに第１ラベル２の一部と複数の第２ラベル３とが仮着されている状態で行う。すなわち、台紙４の第１台紙片４ａを剥がすことで、第１ラベル２の粘着剤が塗布されている裏面の大部分を露出させ、図４（ｂ）に示すように、第１ラベル２の裏面の露出部分を商品に貼付する。台紙４の第２台紙片４ｂは、第１ラベル２の一部が仮着されているため、仮着されている複数の第２ラベル３と共に、商品に貼付された第１ラベル２に隣接して保持される。
【００２６】
なお、台紙４の第２台紙片４ｂの裏面は、商品に貼付されていないため、第２台紙片４ｂを第１ラベル２から剥がすことにより、図４（ｃ）に示すように、第２台紙片４ｂに仮着された状態の複数の第２ラベル３を取り外すことができ、ポイントラベルとして機能する複数の第２ラベル３の保管が容易に行えると共に、ポイント台帳への貼付作業が容易に行える。
【００２７】
（第２の実施の形態）
図５は、本発明に係る商品ラベルの第２の実施の形態の構成を示す図であり、（ａ）は、表面図、（ｂ）は、裏面図、（ｃ）は、側面図である。図６は、図５に示す商品ラベルの貼付方法を説明するための説明図である。
【００２８】
第２の実施の形態の商品ラベル５は、表面に内容明細表示部を有する第１ラベル２と、表面にポイント表示部を有する複数枚の第２ラベル３とが破断用切り込み６によって繋がった状態で、裏面に塗布された粘着剤によって台紙４に仮着されている。なお、破断用切り込み６は、等間隔、周期的もしくはランダムに、厚みの全部もしくは一部に施されている切り込みであり、第１ラベル２と第２ラベル３とに対してそれぞれ異なる方向に力が加わると簡単に破断されるようになっている。
【００２９】
台紙４には、破断用切り込み６と略対向する位置にスリット４１が形成されており、第１ラベル２が仮着されている第１台紙片４ａと、複数の第２ラベル３とが仮着されている第２台紙片４ｂとに分離可能に構成されている。
【００３０】
商品ラベル５に印字を施す場合には、台紙４に形成されたスリット４１の向き、すなわち図５（ａ）に示す商品ラベル５の上下いずれかの方向に商品ラベル５が搬送されるようにすると、搬送途中にスリット４１部分で剥離が生じることがない。
【００３１】
印字が施された商品ラベル５の商品への貼付は、図６（ａ）に示すように、台紙４の第１台紙片４ａのみを剥がし、第２台紙片４ｂに複数の第２ラベル３が仮着されている状態で行う。すなわち、台紙４の第１台紙片４ａを剥がすことで、第１ラベル２の粘着剤が塗布されている裏面を露出させ、図６（ｂ）に示すように、第１ラベル２の裏面を商品に貼付する。第１ラベル２と複数の第２ラベル３とは、破断用切り込み６を介して繋がっているため、複数の第２ラベル３は、第２台紙片４ｂに仮着された状態で、商品に貼付された第１ラベル２に隣接して保持される。
【００３２】
なお、台紙４の第２台紙片４ｂの裏面は、商品に貼付されていないため、破断用切り込み６で第１ラベル２と複数の第２ラベル３とを分離させることにより、図４（ｃ）に示すように、第２台紙片４ｂに仮着された状態の複数の第２ラベル３を取り外すことができ、ポイントラベルとして機能する複数の第２ラベル３の保管を容易に行えると共に、ポイント台帳への貼付作業を容易に行える。
【００３３】
以上説明したように、本実施の形態によれば、表面に内容明細表示部を有する第１ラベル２と、表面にポイント表示部を有する複数枚の第２ラベル３とを裏面に塗布された粘着剤によって台紙４に仮着させ、台紙４に形成されたスリット４１によって、台紙４を第１ラベル２が仮着されている第１台紙片４ａと、第２ラベル３が仮着されている第２台紙片４ｂとに分離可能に構成することにより、内容表示ラベルとして第１ラベル２を発行すると同時に、第２ラベル３をポイントラベルとして発行することができ、個別の商品に対応させたポイント片を簡単に発行することができるという効果を奏する。
【００３４】
また、本実施の形態によれば、第１台紙片４ａを剥がして内容表示ラベルとして発行した第１ラベル２を商品に貼付することで、ポイントラベルとして発行した第２ラベル３を第２台紙片４ｂに仮着した状態で商品に貼付した第１ラベル２に隣接させた保持することができるため、商品とポイントラベルとを一体で取り扱うことができ、ポイントラベルを顧客に提供する作業を省略することができるという効果を奏する。
【００３５】
なお、本発明が上記各実施の形態に限定されず、本発明の技術思想の範囲内において、各実施の形態は適宜変更され得ることは明らかである。また、上記構成部材の数、位置、形状等は上記実施の形態に限定されず、本発明を実施する上で好適な数、位置、形状等にすることができる。なお、各図において、同一構成要素には同一符号を付している。
【図面の簡単な説明】
【００３６】
【図１】本発明に係る商品ラベルの第１の実施の形態の構成を示す図であり、（ａ）は、表面図、（ｂ）は、裏面図、（ｃ）は、側面図である。
【図２】図１に示す商品ラベルに印字を施すラベル印字装置の構成を示すブロック図である。
【図３】図１に示す商品ラベルに印字が施された状態を示す表面図である
【図４】図１に示す商品ラベルの貼付方法を説明するための説明図である。
【図５】本発明に係る商品ラベルの第２の実施の形態の構成を示す図であり、（ａ）は、表面図、（ｂ）は、裏面図、（ｃ）は、側面図である。
【図６】図５に示す商品ラベルの貼付方法を説明するための説明図である。
【符号の説明】
【００３７】
１  商品ラベル
２  第１ラベル
３  第２ラベル
４  台紙
４ａ  第１台紙片
４ｂ  第２台紙片
５  商品ラベル
６  破断用切り込み
１０  ラベル印字装置
１１  受信部
１２  価格情報抽出部
１３  ポイント算出部
１４  印字制御部
１５  印字部
２０  コンピュータ
３１  ポイント表示
４１  スリット
【図１】
2007206214.tif 000003
【図２】
2007206214.tif 000004
【図３】
2007206214.tif 000005
【図４】
2007206214.tif 000006
【図５】
2007206214.tif 000007
【図６】
2007206214.tif 000008